(57)【要約】【課題】給水管路中の給水量の変化に拘らず、管路洗浄に用いられる薬液希釈混合水の薬液濃度を一定に保つことができ、加えて、薬液濃度を診療にも使用し得るような調整も可能な給水管路洗浄装置と、これを用いた歯科用診療装置を提供することを目的とする。【解決手段】診療器具３〜９と、該診療器具３〜９に診療用水を給水する為の給水管路３１〜３８と、該給水管路３１〜３８に薬液を供給する薬液供給手段１３と、前記給水管路３１の途中に設けられ前記薬液供給手段１３からの薬液と診療用水とを混合する薬液混合希釈手段１１と、制御手段１６とを含む給水管路洗浄装置であって、前記診療器具３〜９における給水量を検出する給水量検出手段１２を備え、前記制御手段１６は、前記薬液供給手段１３から薬液混合希釈手段１１に薬液を供給させ、且つ、前記給水量検出手段１２による給水量検出情報に基づき、前記薬液混合希釈手段１１における薬液混合希釈水を所定の薬液濃度に保つよう前記薬液供給手段１３からの薬液供給量を制御するよう構成されている。【選択図】図１
2010104655.tif 000002
【特許請求の範囲】
【請求項１】
診療器具と、該診療器具に診療用水を給水する為の給水管路と、該給水管路に薬液を供給する薬液供給手段と、前記給水管路の途中に設けられ前記薬液供給手段からの薬液と診療用水とを混合する薬液混合希釈手段と、制御手段とを含む給水管路洗浄装置であって、
前記診療器具における給水量を検出する給水量検出手段を備え、前記制御手段は、前記薬液供給手段から薬液混合希釈手段に薬液を供給させ、且つ、前記給水量検出手段による給水量検出情報に基づき、前記薬液混合希釈手段における薬液混合希釈水を所定の薬液濃度に保つよう前記薬液供給手段からの薬液供給量を制御することを特徴とする給水管路洗浄装置。
【請求項２】
請求項１に記載の給水管路洗浄装置において、
前記給水量検出手段が、前記薬液混合希釈手段の下流側の給水管路に設けられた流量計であることを特徴とする給水管路洗浄装置。
【請求項３】
請求項１に記載の給水管路洗浄装置において、
前記給水量検出手段が、前記各診療器具に対応して設けられた可変絞り弁手段であることを特徴とする給水管路洗浄装置。
【請求項４】
請求項１乃至３のいずれか１項に記載の給水管路洗浄装置において、
前記薬液供給手段は、薬液ボトルと、該薬液ボトルを保持する保持部と、該保持部及び前記薬液混合希釈手段間を接続する薬液配管と、該薬液配管の途中に設けられた薬液ポンプとよりなることを特徴とする給水管路洗浄装置。
【請求項５】
請求項４に記載の給水管路洗浄装置において、
前記薬液ボトルは、前記保持部に対して着脱自在に装着されるよう構成されていることを特徴とする給水管路洗浄装置。
【請求項６】
請求項４又は５に記載の給水管路洗浄装置において、
前記保持部は、設置された薬液ボトル内の薬液量を検出する検出する薬液量検出手段を備え、前記制御手段には報知手段が更に接続され、該制御手段は、前記薬液量検出手段からの薬液なし乃至は少の検出情報に基づき、前記報知手段をしてその旨の報知を行わせるよう制御することを特徴とする給水管路洗浄装置。
【請求項７】
請求項１乃至６のいずれか１項に記載の給水管路洗浄装置において、
更に管路洗浄スイッチを備え、
前記管路洗浄スイッチは、診療時の薬液低濃度モードから、洗浄時の薬液高濃度モードに切り換えるものであって、前記制御手段は、該管路洗浄スイッチがオン操作されたときには、当該高濃度モードに基づき前記薬液混合希釈水を前記所定の薬液濃度に保つよう薬液供給手段からの薬液供給量を制御することを特徴とする給水管路洗浄装置。
【請求項８】
請求項７に記載の給水管路洗浄装置において、
前記制御手段は、前記管路洗浄スイッチのオン操作による高濃度モードでの管路洗浄の後、前記低濃度モードによる薬液混合希釈水又は薬液を含まない前期診療用水を用いて前記給水管路内を洗浄するよう前記薬液供給手段からの薬液供給量を制御することを特徴とする給水管路洗浄装置。
【請求項９】
患者が着座乃至仰臥する歯科用診療台と、請求項１乃至８のいずれか１項に記載の給水管路洗浄装置とを備え、前記診療器具が歯科診療器具であって、該歯科診療器具が前記歯科用診療台に付設されていることを特徴とする歯科用診療装置。
【請求項１０】
請求項９に記載の歯科用診療装置において、
前記歯科診療器具が、複数の歯科用インスツルメントと、スピットンに備えられたコップ給水部とからなり、前記スピットンは、前記インスツルメントの先端を差込保持し、排水管路に通じる洗浄水受タンクを備えていることを特徴とする歯科用診療装置。
【発明の詳細な説明】
【技術分野】
【０００１】
本発明は、診療器具、特に歯科用診療器具に給水する給水管路等を洗浄する為の管路洗浄装置と、これを用いた歯科用診療装置に関するものである。
【背景技術】
【０００２】
上記のような歯科用診療装置は、患者が着座乃至仰臥して診療を受ける歯科用診療台と、該診療台に付設された各種インスツルメントと、患者のうがい用スピットンとを含んで構成される。これらインスツルメントは、給水源から給水管路を経て先端より水を診療用水として患部に噴射させる為の注水手段を備えたインスツルメント（エアタービンハンドピース、マイクロモータハンドピース、スケーラ、ウォータシリンジ等）や、口腔内の唾液或いは処置汚物等を吸引排出するインスツルメント（バキュームシリンジ、サライバエジェクタ等）に類別される。前者のインスツルメントの場合、使用時には、給水源から常に清浄な水や低濃度の薬液混合希釈水が供給されるが、使用後は各給水管路に水が残留する。この残留水を給水管路内に長く放置すると、雑菌が増殖し、水垢が発生することになるので、残留水を定期的に排出させると共に管路内を洗浄する必要がある。また、スピットンにはコップ給水の為の給水管路が配管されており、このスピットン用給水管路においても、雑菌の増殖や、水垢の発生を防止する為に、管路内の残留水の排出及び洗浄を行う必要がある。
【０００３】
特許文献１には、各歯科用診療器具に対する給水管路に、予め濃度調整された高濃度の消毒液（薬液）を導入し、スピットンに排出させることによって、給水管路の洗浄を行うようにした医療機器が開示されている。この医療機器において、薬液で給水管路の洗浄を行う際には、給水管路に設けられた切替制御弁によって給水源からの給水系は閉止される。
【０００４】
また、特許文献２には、給水管路の途中に薬液供給管路を合流させ、この合流部で水と薬液とを混合して所定濃度に調整された消毒洗浄水とし、この消毒洗浄水を給水管路に流して給水管路を消毒洗浄する方法が記載されている。薬液の混合は、滴下量が設定された薬液滴下ポンプでなされる。そして、本特許文献２には、高濃度の消毒洗浄水によって給水管路の消毒洗浄を行う場合は、洗浄水を診療器具からは排水させずに診療装置に設けられた排出先に排水する方法と、低濃度の消毒洗浄水によって給水管路の消毒洗浄を行う場合は、洗浄液を診療器具からは排水させる方法とを併用する例も開示されている。
【特許文献１】特開２０００−５２００号公報
【特許文献２】特開２００２−２０９９１７号公報
【発明の開示】
【発明が解決しようとする課題】
【０００５】
特許文献１に開示された給水管路の洗浄方法の場合、給水管路の洗浄の都度、予め所定濃度に調整された薬液を準備する必要があり、ユーザにとってはこれが煩雑であるという指摘もされていた。また、給水管路の洗浄時には給水源からの給水を停止させる為に、給水管路には切替制御弁を設けることが必要とされ、管路構成やシーケンスが複雑となる。更に、前記切替制御弁は給水源側の給水管路と、薬液供給管路とを切替えるものであるから、給水源側の給水に薬液を混合希釈させて低濃度の薬液とし、通常の診療時に各診療機器よりこの低濃度の薬液を注水させるという考えはなく、このようなニーズには応えることができなかった。
【０００６】
特許文献２に開示された給水管路の洗浄方法の場合、給水源からの水に混合される薬液量は、薬液滴下ポンプにおいて予め設定されている。従って、高濃度洗浄および低濃度洗浄の併用が可能に構成される場合は、それぞれの条件に設定された２種の滴下ポンプとこれに付随する管路等を設ける必要がある。また、給水管路中の給水量が変化すると、混合希釈後の薬液濃度が変動する。高濃度での管路洗浄の場合、診療器具より排水させることなく排出先に排水するようにしているから、給水管路中の給水量の変化が少なく、混合希釈後の薬液濃度を所期の濃度に維持することは可能であるが、薬液洗浄水を診療器具より排水させて洗浄を行う場合、診療器具によって給水量が異なる為、混合希釈後の薬液濃度が変動する。特に、コップ給水の場合の給水量は多く、インスツルメントを基準に薬液滴下量を設定すると、所期の薬液濃度にならず、充分な洗浄効果が得られないことがある。一方、コップ給水を基準に薬液滴下量を設定すると、インスツルメント用しては薬液濃度が過剰となる。更に、歯科用のインスツルメントの場合、各インスツルメント毎に、手操作或いは足踏み操作できる注水量可変絞り手段が設けられており、術者によってこの可変絞り手段が適宜操作されているから、管路洗浄の際にはインスツルメント毎に給水量が異なり、従って、管路洗浄に使用される薬液混合希釈水の薬液濃度がインスツルメント毎に異なることになる。そして、通常診療に低濃度の希釈薬液を用いる場合は、このような薬液の濃度の変動は、診療に影響を及ぼすことになり好ましくない。
【０００７】
本発明は、上記に鑑みなされたものであり、給水管路中の給水量の変化に拘らず、管路洗浄に用いられる薬液希釈混合水の薬液濃度を一定に保つことができ、加えて、薬液濃度を診療にも使用し得るような調整も可能な給水管路洗浄装置と、これを用いた歯科用診療装置を提供することを目的とする。
【課題を解決するための手段】
【０００８】
第１の発明に係る給水管路洗浄装置は、診療器具と、該診療器具に診療用水を給水する為の給水管路と、該給水管路に薬液を供給する薬液供給手段と、前記給水管路の途中に設けられ前記薬液供給手段からの薬液と診療用水とを混合する薬液混合希釈手段と、制御手段とを含む給水管路洗浄装置であって、前記診療器具における給水量を検出する給水量検出手段を備え、前記制御手段は、前記薬液供給手段から薬液混合希釈手段に薬液を供給させ、且つ、前記給水量検出手段による給水量検出情報に基づき、前記薬液混合希釈手段における薬液混合希釈水を所定の薬液濃度に保つよう前記薬液供給手段からの薬液供給量を制御することを特徴とする。
【０００９】
本発明において、前記給水量検出手段を、前記薬液混合希釈手段の下流側の給水管路に設けられた流量計とし、或いは、前記各診療器具に対応して設けられた可変絞り弁手段とすることができる。
【００１０】
また、本発明において、前記薬液供給手段を、薬液ボトルと、該薬液ボトルを保持する保持部と、該保持部及び前記薬液混合希釈手段間を接続する薬液配管と、該薬液配管の途中に設けられた薬液ポンプとより構成しても良い。この場合、前記薬液ボトルを、前記保持部に対して着脱自在に装着されるよう構成しても良い。更に、前記保持部が、設置された薬液ボトル内の薬液量を検出する薬液量検出手段を備え、前記制御手段には報知手段が更に接続され、該制御手段は、前記薬液量検出手段からの薬液なし乃至は少の検出情報に基づき、前記報知手段をしてその旨の報知を行わせるよう制御するようにしても良い。報知手段としては、音、光、ディスプレイ表示等のいずれか、或いはこれらの組み合わせによるものが採用される。
【００１１】
また、本発明において、更に管路洗浄スイッチを備え、該管路洗浄スイッチを、診療時の薬液低濃度モードから、洗浄時の薬液高濃度モードに切り換えるものとし、前記制御手段は、該管路洗浄スイッチがオン操作されたときには、当該高濃度モードに基づき前記薬液混合希釈水を前記所定の薬液濃度に保つよう薬液供給手段からの薬液供給量を制御するようにしても良い。この場合、前記制御手段は、前記管路洗浄スイッチのオン操作による高濃度モードでの管路洗浄の後、前記低濃度モードによる薬液混合希釈水又は薬液を含まない診療用水を用いて前記給水管路内を洗浄するよう前記薬液供給手段からの薬液供給量を制御するようにしても良い。
【００１２】
第２の発明に係る歯科用診療装置は、患者が着座乃至仰臥する歯科用診療台と、前記のいずれかの給水管路洗浄装置とを備え、前記診療器具が歯科診療器具であって、該歯科診療器具が前記歯科用診療台に付設されていることを特徴とする。
【００１３】
本発明において、前記歯科診療器具が、複数の歯科用インスツルメントと、スピットンに備えられたコップ給水部とからなり、前記スピットンは、前記インスツルメントの先端を差込保持し、排水管路に通じる洗浄水受タンクを備えているものとすることができる。
【発明の効果】
【００１４】
第１の発明に係る給水管路洗浄装置によれば、前記給水管路の途中に設けられた前記薬液混合希釈手段において、前記薬液供給手段から薬液混合希釈手段に薬液が供給され、給水管路中の診療用水と混合されて薬液混合希釈水が生成される。この薬液混合希釈水は給水管路を経て診療器具に給水される。従って、給水管路及び診療器具が薬液混合希釈水によって洗浄され、繁殖する細菌等を確実に滅菌除去することができる。このとき、前記制御手段によって、前記給水量検出手段による給水量検出情報に基づき、前記薬液混合希釈手段における薬液混合希釈水を所定の薬液濃度に保つよう前記薬液供給手段からの薬液供給量が制御されるから、給水管路の給水量が変化しても薬液混合希釈水の薬液濃度が一定に保たれ、各診療器具およびこれに接続される給水管路に対する所期の洗浄効果が、確実且つ均等に発現される。
【００１５】
前記給水量検出手段を、前記薬液混合希釈手段の下流側の給水管路に設けられた流量計とした場合、この流量計によって給水管路を流れる給水量が計時的に検出され、この検出情報に基づき、制御手段により前記薬液供給手段からの薬液供給量が制御されるから、薬液混合希釈水の薬液濃度の維持が的確になされる。また、前記給水量検出手段を前記各診療器具に対応して設けられた可変絞り弁手段とした場合、可変絞り弁手段の操作により各診療器具毎に給水量が異なっていても、この可変絞り弁手段による給水量検出情報に基づき薬液混合希釈水の薬液濃度の維持が的確になされる。特に、給水管路洗浄は、通常各診療器具毎になされるから、各診療器具固有の給水量に対応させることができる。
【００１６】
前記薬液供給手段を、薬液ボトルと、該薬液ボトルを保持する保持部と、該保持部及び前記薬液混合希釈手段間を接続する薬液配管と、該薬液配管の途中に設けられた薬液ポンプとより構成した場合、原液或いは高濃度の薬液が充填された薬液ボトルから薬液ポンプによって適量が薬液配管を通じて薬液混合希釈手段に供給される。そして、前記薬液ボトルを、前記保持部に対して着脱自在に装着するようにすれば、薬液ボトル内への薬液の補充や薬液ボトルの交換が容易になされる。更に、前記保持部が、前記薬液量検出手段を備え、制御手段が、前記薬液量検出手段からの薬液なし乃至は少の検出情報に基づき、前記報知手段をしてその旨の報知を行わせるよう制御するものとした場合、この報知により、薬液ボトル内への薬液の補充等が必要であることが知らされるから、薬液欠乏等による洗浄不十分な事態を未然に回避することができる。
【００１７】
管路洗浄スイッチを更に設け、この管路洗浄スイッチは、診療時の薬液低濃度モードから、洗浄時の薬液高濃度モードに切り換えるものとである。前記制御手段は、該管路洗浄スイッチがオン操作されたときには、当該高濃度モードに基づき前記薬液混合希釈水を前記所定の高濃度薬液に保つよう薬液供給手段からの薬液供給量を制御するようにした場合、管路洗浄スイッチが操作されないときには、診療時の薬液低濃度モードに基づき前記薬液混合希釈水を前記所定の低濃度又は薬液を含まない診療用水に保つよう薬液供給手段からの薬液供給量を制御されているから、診療時に各診療器具が個々に操作された際、それぞれの診療器具から、低濃度の薬液混合希釈水が注出され診療に供される。この場合、前記制御手段は、前記管路洗浄スイッチのオン操作による高濃度モードでの管路洗浄の後、前記低濃度モードによる薬液混合希釈水又は薬液を含まない診療用水を用いて前記給水管路内を洗浄するよう前記薬液供給手段からの薬液供給量を制御するようにすれば、高濃度薬液混合希釈水による管路洗浄の後、引き続いて低濃度の薬液混合希釈水又は薬液を含まない診療用水で管路がすすぎ洗浄されるから、各診療器具を通常の診療時に即使用し得るような状態に自動的に整えられることになる。
【００１８】
第２の発明に係る歯科用診療装置によれば、前記診療器具が歯科用診療台に付設された歯科診療器具であるから、前記給水管路洗浄装置によって、各診療器具及び給水管路が常時清潔な状態に保たれ、適正な歯科診療を実施することができる。この場合、前記歯科診療器具が、複数の歯科用インスツルメントと、スピットンに備えられたコップ給水部とからなるものとすれば、各インスツルメント及びコップ給水部が、給水管路洗浄装置によって常時清潔に保たれる。そして、前記スピットンが、前記インスツルメントの先端を差込保持し、排水管路に通じる洗浄水受タンクを備えているものとすれば、管路洗浄時に各インスツルメントを洗浄水受タンクに差込保持させて前記管路洗浄スイッチをオンとすれば、各インスツルメントからの洗浄水は自動的に排水管路より排出される。また、コップ給水部からの洗浄水はスピットンに備えられたベースンより前記排水管路に排出される。従って、洗浄作業時毎にスピットンのベースン上にセットして用いる洗浄タンク（例えば、特許文献１及び特許文献２に開示された洗浄タンク）のような、使用上及び保管上の煩わしさがない。
【発明を実施するための最良の形態】
【００１９】
以下、本発明の最良の形態について図面に基づき説明する。図１は本発明の給水管路洗浄装置の一実施形態を示す配管系統図、図２は同給水管路洗浄装置の制御ブロック図、図３は同給水管路洗浄装置による洗浄工程のタイムチャート図、図４（ａ）（ｂ）は同給水管路洗浄装置に用いられる薬液供給手段の一実施形態を示す概念図であり（ａ）は薬液ボトルの装着前の状態を、（ｂ）は装着した状態を夫々示す。図５（ａ）（ｂ）は同薬液供給手段に用いられる薬液ポンプの一実施形態の断面図であり、（ａ）（ｂ）はその動作状態を示す。図６は同給水管路洗浄装置を用いた歯科用診療装置の斜視図、図７（ａ）は同歯科用診療装置におけるスピットン部分の別角度から見た斜視図、（ｂ）は同スピットン部分の断面図、図８は他の実施形態の給水管路洗浄装置の配管系統図、図９は同給水管路洗浄装置の制御ブロック図、図１０（ａ）（ｂ）（ｃ）はスピットン部分の他の実施形態を示し（ａ）は斜視図、（ｂ）（ｃ）はその使用状態の部分破断側面図を示す。図１１は他の実施形態のスピットン部分を備えた歯科用診療装置の斜視図、図１２（ａ）（ｂ）は同歯科用診療装置におけるスピットン部分の平面図及び縦断面図、図１３は更に他の実施形態のスピットン部分の斜視図である。
【００２０】
先ず、図６を参照して本発明に係る歯科用診療装置について概説する。図６に示す歯科用診療装置Ａは、患者が着座乃至は仰臥した状態で診療を受けることができる歯科用診療台１と、該診療台１の側部に設置されたスピットン２と、診療台１の背板１ｃに繰出し自在に装備された複数の歯科用インスツルメント（歯科診療器具）３〜８（図１参照）とを備えている。歯科用診療台１は、基台１ａと、該基台１ａ上に昇降自在に設置された座板１ｂと、該座板１ｂの一端に起伏自在に連接された背板１ｃと、該背板１ｃの上端に傾動自在に取付けられたヘッドレスト１ｄとより構成され、図例では側部にアームレスト１ｅも備えている。スピットン２は、図例では座板１ｂの側部に座板１ｂと共に上下昇降可能に設置されているが、床面に立設されるものであっても良い。スピットン２は、胴部２ａと、その上端に設置されたベースン２ｂと、ベースン２ｂに設置された歯科診療器具としてのコップ給水栓（コップ給水部）９とより構成される。該胴部２ａには、後記する洗浄水受タンク１０が出没自在に設けられている。前記歯科用インスツルメント３〜８は、電気やエア等の作用媒体供給用ホース３ａ〜８ａの先端に接続され、背板１ｃの肩部より繰出し自在に装備されている。図６では、これらインスツルメント３〜８を背板１ｃの肩部より繰出し、後記する管路洗浄の為、その先端部を前記洗浄水受けタンク１０に差込装着した状態を示している。図示のインスツルメント３〜８は、夫々第１のエアタービンハンドピース（ハイスピードハンドピース）、第２のエアタービンハンドピース（同）、マイクロモータハンドピース（ロースピードハンドピース）、超音波スケーラ、ドクター側スリーウェイシリンジ及びアシスタント側スリーウェイシリンジとされている。
尚、インスツルメント３〜８は、診療台１の側部に旋回自在或いは移動自在に装備される不図示のトレーテーブルに設けられたホルダーに係止されるよう構成しても良いし、背板１ｃの肩部の左右にどのように配置しても構わない。
【００２１】
次に、本発明に係る給水管路洗浄装置の管路構成を含む前記各インスツルメント用作用媒体（給水、給気）の管路構成について説明する。図１において、給水用管路（スピットン用給水管路含む）は、診療用水の水元（給水源、水道水）３０に接続された主給水管路３１と、この主給水管路３１から分岐する分岐給水管路３２〜３９とよりなる。主給水管路３１には、手動の元弁３１ａ、給水元電磁弁３１ｂ、除菌フィルタ３１ｃ、後記する薬液混合希釈手段１１、後記する流量計１２及びウォーマ３１ｄ等が配設されている。分岐給水管路３２は第１のエアタービンハンドピース３に、分岐給水管路３３は第２のエアタービンハンドピース４に、分岐給水管路３４はマイクロモータハンドピース５に、分岐給水管路３５は超音波スケーラ６に、分岐給水管路３６はドクター側スリーウェイシリンジ７に、分岐給水管路３７はアシスタント側スリーウェイシリンジ８に、分岐給水管路３８はコップ給水栓９に、分岐給水管路３９はスピットン２におけるベースン２ｂの所謂鉢洗い用給水部２ｃに、夫々接続されている。
【００２２】
分岐給水管路３２〜３５の途中には、電磁弁３２ａ，３３ａ，３４ａ，３５ａが配設されている。これら給水管路３２〜３５に対応するインスツルメント３〜６の通常の使用時においては、いずれかのインスツルメントがホルダー（不図示）から取外されたことがホルダーに設けられたセンサ（不図示）により検出され、フートスイッチ（不図示）の操作がなされると、取外されたインスツルメントに対応する電磁弁が開となって、当該インスツルメントの注水口から注水がなされる。また、分岐給水管路３８の途中には、電磁弁３８ａが配設され、コップ給水栓９下の患者等の手及びコップの存在を検出するとこの電磁弁３８ａが開となって、コップ給水栓９からの給水がなされる。分岐給水管路３９の途中には、電磁弁３９ａが配設され、スピットン２の使用時毎にこの電磁弁３９が開とされ、ベースン２ｂの鉢洗いがなされる。
【００２３】
ドクター側スリーウェイシリンジ７及びアシスタント側スリーウェイシリンジ８に接続される分岐給水管路３６及び３７の途中には、上記のような電磁弁は存在せず、これらスリーウェイシリンジ７，８は、そのグリップ部にメカバルブ（不図示）及び操作レバー（不図示）を備え、ドクター及びアシスタントによる操作レバーの押圧操作によって先端ノズル部からの注水がなされる。また、前記インスツルメント３〜６に対応する電磁弁３２ａ〜３５ａの下流側近傍の分岐給水管路３２〜３５には、可変絞り弁３２ｂ〜３５ｂが配設され、スリーウェイシリンジ７，８に対応する分岐給水管路３６，３７には前記操作レバーに連動する可変絞り弁３６ａ，３７ａが設けられている。
【００２４】
エア供給管路は、コンプレッサー（不図示）による圧縮空気源としてのエア元４０と、このエア元４０に接続された主エア供給管路４１と、この主エア供給管路４１から分岐する分岐エア供給管路４２〜５０とよりなる。エア供給管路４２，４３はエアタービンハンドピース３，４のタービン駆動用であり、その途中には、フートスイッチの足踏み操作により開閉する電磁弁（いずれも不図示）が配設される。エア供給管路４４〜４７は、前記給水管路３２〜３５から供給される水を噴霧させるチップエア用として各インスツルメント（エアタービンハンドピース、マイクロモータハンドピース、超音波スケーラ）３〜６に導入されるもので、途中にフートスイッチの足踏み操作により開閉する電磁弁４４ａ〜４７ａが配設されている。また、エア供給管路５０は、マイクロモータハンドピース５の発熱を防ぐ為のクーリングエアを噴出させるもので、途中に上記同様フートスイッチの足踏み操作により開閉する電磁弁５０ａが配設されている。
【００２５】
エア供給管路４８，４９は、ドクター側スリーウェイシリンジ７及びアシスタント側スリーウェイシリンジ８に接続され、その先端ノズル部よりエアを噴出させるようにしたもので、このエア供給管路４８，４９の途中には上記のような電磁弁は存在せず、これらスリーウェイシリンジ７，８は、そのグリップ部にエア用メカバルブ（不図示）及びエア用操作レバー（不図示）を備え、ドクター及びアシスタントによる操作レバーの押圧操作によって先端ノズル部からのエアの噴出がなされる。このエア操作レバーは、前記給水用操作レバーと並設され、ドクター及びアシスタントによって両者が選択的に或いは同時に押圧操作される。主エア供給管路４１の途中に、手動の元弁４１ａが配設され、この元弁４１ａの下流側には、除菌フィルタ４１ｂ等が設けられている。
【００２６】
前記薬液混合希釈手段（薬液混合タンク）１１には、薬液供給手段１３が接続されている。該薬液供給手段１３は、薬液ボトル１４と、該薬液ボトル１４内の薬液を適量ずつ薬液混合希釈手段１１に供給する薬液ポンプ１５とよりなる。薬液供給手段１３の詳細構成については後記する。スピットン２からの排水及び後記する洗浄水受タンク１０からの排水は、排水管路６１を経て、排水先６０に排水される。通常の診療作業においては、スリーウェイシリンジ７，８を除くインスツルメント３〜６が夫々のホルダー（不図示）から取外され、所望の作用媒体に対応するフートスイッチを足踏み操作すると、取外されたインスツルメントに所望の作用媒体が供給される。スリーウェイシリンジ７，８の使用時には、上述のように各グリップ部に設けられた操作レバー（不図示）の押圧操作により、先端部から所望の作用媒体を噴出させることができる。
【００２７】
図２は、給水管路洗浄装置を含む前記管路構成における制御ブロック図である。図２において、ＣＰＵからなる制御手段１６が、全体の制御を司る。この制御手段１６には、前記各インスツルメント等（歯科診療器具）の前記電磁弁等を駆動させる為の駆動回路１７、管路洗浄スイッチ１８、表示手段１９、報知手段２０、薬液供給手段１３、流量計１２及び薬液量検出手段２１が接続されている。管路洗浄スイッチ１８は、前記歯科用診療台１（図６参照）の側部に移動可能に設置されるトレーテーブル（不図示）等に設けられ、給水管路の洗浄の際にドクター若しくはアシスタント等によって操作される。表示手段１９は、同トレーテーブル等に設置され、診療等に関する各種情報が表示される。報知手段２０は、後記する薬液ボトル１４内の薬液量が薬液量検出手段２１によって少なくなったことが検出された場合や、その他の装置での異常を検知した場合等において、その旨の報知を行うべく機能する。
【００２８】
図４及び図５は、薬液供給手段１３を構成する薬液ボトル１４及び薬液ポンプ１５の概要を示している。図４において薬液ボトル１４は、筒状口部１４ａと、該筒状口部１４ａの開口部に取付けられた逆止弁部材１４ｂとを備え、椀型のボトル保持部２２に着脱自在に装着可能とされる。ボトル保持部２２は、底部に前記筒状口部１４ａを受容する受支筒２２ａを備え、該受支筒２２ａには薬液混合希釈手段１１に通じる薬液配管２３の基端部２３ａが水密的に挿通されている。図４（ａ）は、例えば、過酸化水素水や、次亜塩素酸ナトリウム等の薬液が充填された薬液ボトル１４をボトル保持部２２に装着する過程を示しており、薬液ボトル１４は前記筒状口部１４ａを下向きにして装着される。図４（ｂ）に示すように筒状口部１４ａを受支筒２２ａに挿入受容させると、前記薬液配管２３の斜めにカットされた基端部２３ａが逆止弁部材１４ｂを押上げて筒状口部１４ａの開口部が開放され、薬液ボトル１４内の薬液が薬液配管２３内に流入する。薬液配管２３内に流入した薬液は、薬液ポンプ１５によって弁制御され、逐次薬液混合希釈手段１１に供給される。また、薬液配管２３の少なくともボトル保持部２２の近傍部位には透光部が形成され、この透孔部を挟んで発光部２１ａと受光部２１ｂとよりなる薬液量検出手段（センサ）２１が設置されている。この薬液量検出手段２１により薬液ボトル１４内の薬液量（有無）が検出される。この薬液量検出手段２１としては、例示のものに限らず、薬液ボトル１４内に設置されるフロート式等の水位センサ等であっても良い。
【００２９】
前記薬液配管２３の途中には図５に示す薬液ポンプ１５が設けられている。この薬液ポンプ１５は、前記特許文献２の図２に示されたものと略同様の構成を備えたものであり、図５（ａ）は薬液吸引時の状態を、（ｂ）は薬液送り出し時の状態を示している。この薬液ポンプ１５は、主に、第１ポンプケース１５１、第２ポンプケース１５２、これらのケース１５１、１５２に収容されたベロフラム１５３、ピストン１５４、圧縮バネ１５５、それぞれ鋼球で構成された逆止弁体１５６、１５７から構成されている。第１ポンプケース１５１は、内室１５１ａを備え、該内室１５１ａは、ソケット１５１ｂを介して接続された圧縮エア管路１５１ｃに通じている。この圧縮エア管路１５１ｃは、前記主エア供給管路４１（図１参照）から分岐され、その途中にポンプ駆動用の電磁弁（不図示）が配設されている。このポンプ駆動用の電磁弁が開となり、内室１５１ａに加圧空気が供給されると、ベロフラム１５３及びピストン１５４を圧縮バネ１５５の弾力に抗して押上げ（図５（ｂ）の状態）、当該ポンプ駆動用の電磁弁が閉となると、圧縮バネ１５５の弾力によってベロフラム１５３及びピストン１５４が押下げられ、内室１５１ａ内の空気が排出される（図５（ａ）の状態）よう構成されている。第２ポンプケース１５２は、第１ポンプケース１５１の内室１５１ａに対応する内室１５２ａを備え、この内室１５２ａ内に前記圧縮バネ１５５が弾装されている。また、この内室１５２ａの上部に連接され左右側方に貫通する２個の弁室１５２ｂ、１５２ｃを備えている。
【００３０】
これらの弁室１５２ｂ，１５２ｃの内、弁室１５２ｂはソケット１５２ｄを介して前記薬液ボトル１４側の薬液配管２３ｂに接続され、弁室１５２ｃはソケット１５２ｅを介して前記薬液混合希釈手段１１側の薬液配管２３ｃに接続されている。そして、各弁室１５２ｂ，１５２ｃに逆止弁体１５６、１５７が、多孔性の規制部材１５６ａ，１５７ａによって抜出不能の状態で内装されている。また、弁室１５２ｂにおけるソケット１５２ｄの端面が、逆止弁体１５６が接離する弁座１５２ｆとされ、弁室１５２ｂにおける前記内室１５２ａとの境界の小径孔が形成された壁部が、逆止弁体１５７が接離する弁座１５２ｇとされている。
【００３１】
図５（ａ）に示すように、前記ポンプ駆動用の電磁弁が閉となり、ベロフラム１５３及びピストン１５４が押下げられ、第１ポンプケース１５の内室１５１ａ内の空気が排出されると、第２ポンプケースの内室１５２ａ内が負圧となり、これに伴い、逆止弁体１５６が弁座１５２ｆから離れて該弁座１５２ｆが開となると共に、逆止弁体１５７が弁座１５２ｇに接して該弁座１５２ｇが閉となる。従って、薬液配管２３ｂから薬液が内室１５２ａ内に吸入される。また、図５（ｂ）に示すように、前記前記ポンプ駆動用の電磁弁が開となり、加圧空気が第１ポンプケース１５の内室１５１ａ内に導入されると、ベロフラム１５３及びピストン１５４が圧縮バネ１５４の弾力に抗して押上げられ、第２ポンプケースの内室１５２ａ内が加圧され、これに伴い、逆止弁体１５６が弁座１５２ｆに接して該弁座１５２ｆが閉となると共に、逆止弁体１５７が弁座１５２ｇから離れて該弁座１５２ｇが開となる。従って、内室１５２ａ内に吸入されていた薬液は薬液配管２３ｃから前記薬液混合希釈手段１１側に排出される。これを繰り返し、ポンプ駆動用の電磁弁の動作によって、前記薬液ボトル内の薬液が、薬液混合希釈手段１１に適量ずつ供給される。即ち、ポンプ駆動用の電磁弁の動作タイミング及び速度を適宜制御することによって、薬液供給手段１３から薬液混合希釈手段１１への薬液の供給量が調整され、薬液混合希釈手段１１による薬液混合希釈水の薬液濃度の設定が適宜なされる。
【００３２】
図７（ａ）（ｂ）は、図６の歯科用診療装置Ａに設置されたスピットン部分を示す図である。図において、スピットン２は、胴部２ａ上に設置されたうがい水の排出用ベースン２ｂと、このベースン２ｂに設けられたコップ給水栓９とを含む。コップ給水栓９の下にはうがい用コップｃが置かれる。胴部２ａには洗浄水受タンク１０を収納するための空洞部２ｄが形成されている。この空洞部２ｄの開口部には上下に開閉する開閉扉２ｅが取付けられている。ベースン２ｂには、胴部２ａ内から装置外の排水系（不図示）に通じる排水管路２ｆが接続されている。前記空洞部２ｄには、洗浄水受タンク１０が引出し自在に収納されている。洗浄水受タンク１０は、タンク本体１０ａと、この上面開口部を覆う天板部１０ｂとよりなる。天板部１０ｂには上記各種インスツルメント３〜８の先側を差込保持するための複数の保持孔１０ｃ…が設けられている。タンク本体１０ａの背面壁部に排水口１０ｄが設けられ、この排水口１０ｄと上記胴部２ａ内のスピットン排水管路２ｆとが、フレキシブルチューブからなる排水管１０ｅにより連結されている。
【００３３】
図７（ｂ）では、排水口１０ｄはタンク本体１０ａの壁部中間位置に設けられ、タンク本体１０ａに溜まった排液がオーバフローして排出される例を示しているが、この排水口１０ｄをタンク本体１０ａの底部に設けて排液を逐次排出するようになすことも可能である。タンク本体１０ａの前面壁部には取手１０ｆが設けられ、洗浄水受タンク１０の取出しに便なように配慮がなされている。上記空洞部２ｄ内には水平な棚部２ｇが設けられ、洗浄水受タンク１０の収納時にはこの棚部２ｇ上に洗浄水受タンク１０が静置される。洗浄水受タンク１０を使用の為取り出す際は、開閉扉２ｅを開け、取手１０ｆを引き洗浄水受タンク１０を空洞部２ｄ外に引出す。この引出し方向は診療台１側に向けられ、従って引出された状態では洗浄水受タンク１０は、各インスツルメント３〜８が届く範囲に位置することになる。
尚、図７（ｂ）では、前記保持孔１０ｃにバキュームシリンジｖｃが差込保持された状態を示しているが、これは後記するインスツルメント３〜８の管路洗浄の際に排出されタンク本体１０ａに溜まった排液を吸引して、バキュームシリンジｖｃ関連の配管の洗浄、消毒することができることを示している。
【００３４】
次に、上記構成における給水管路洗浄装置における洗浄工程について、図３のタイムチャート図も参照して説明する。給水管路洗浄操作に先立ち、各インスツルメント３〜８を前記洗浄水受タンク１０の前記所定の保持孔１０ｃに差込装着する。この装着状態では、スリーウェイシリンジ７及びスリーウェイシリンジ８の前記操作レバーが作動して各可変絞り弁３６ａ，３７ａが開状態とされるが、これらの制御元弁（不図示）はオフ状態とされる。そして、図３において管路洗浄スイッチ１８がオン操作されると、薬液ポンプ１５が動作状態（オン状態）とされると共に給水元電磁弁３１ｂがオン（開）とされる。同時にマイクロモータハンドピース５の給水電磁弁３４ａ（図１参照）がオン（開）とされる。前記制御手段１６は流量計１２の検出流量を監視し、予め設定された高濃度モードに基づき、薬液混合希釈手段１１における薬液混合希釈水が当該高濃度モードに対応する薬液濃度となるよう、薬液ポンプ１５を作動させて薬液ボトル１４から薬液を薬液混合希釈手段１１に供給制御し、給水元３０からの診療用水に薬液を混合して希釈する。生成された薬液混合希釈水を主給水管路３１及び分岐給水管路３２を経てマイクロモータハンドピース５の先端注水口より洗浄水受タンク１０内に排出する。予め設定された時間が経過するまでを高濃度薬液の作成工程Ｓ１として、これを継続する。ここで、マイクロモータハンドピース５関連の給水管路に薬液混合希釈水を流すことから開始してこれを高濃度薬液の作成工程Ｓ１としたのは、マイクロモータハンドピース５に対する給水量は他の診療機器に比べて最も少なく、従って、薬液混合希釈手段１１による薬液混合希釈水を所定の高濃度に早く到達させることができるからである。
【００３５】
前記高濃度薬液の作成工程Ｓ１が終了すると、マイクロモータハンドピース５の給水電磁弁３４ａがオフ（閉）とされ、同時にコップ給水栓９の給水電磁弁３８ａ（図１参照）がオン（開）とされる。前記制御手段１６は、ここでも流量計１２の検出流量を監視し、薬液ポンプ１５を作動させ、予め設定された高濃度モードに基づき、薬液混合希釈手段１１における薬液混合希釈水が当該高濃度モードに対応する薬液濃度を維持するよう薬液を薬液混合希釈手段１１に供給する。生成された薬液混合希釈水は、主給水管路３１及び分岐給水管路３８を経てコップ給水栓９よりベースン２ｂに排出される。この間、主給水管路３１、分岐給水管路３８及びコップ給水栓９内の給水管路、更にはベースン２ｂ内が洗浄され、消毒される。
【００３６】
所定時間経過後、コップ給水栓９の給水電磁弁３８ａがオフ（閉）とされ、引続き、スリーウェイシリンジ７の前記制御元弁（不図示）、スリーウェイシリンジ８の前記制御元弁（不図示）、エアタービンハンドピース３の給水電磁弁３２ａ、エアタービンハンドピース４の給水電磁弁３３ａ、超音波スケーラ６の給水電磁弁３５ａ及びマイクロモータハンドピース５の給水電磁弁３４ａが、夫々に定められた所定時間オン（開）状態とされ、この順序でこのオン状態が順次切換わってゆく。各給水電磁弁等がオンの間、各インスツルメント７，８，３，４，６，５の注水口からは、薬液混合希釈水が夫々の分岐給水管路３６，３７，３２，３３，３５，３４を経て洗浄水受タンク１０内に排出され、各給水管路及びインスツルメント内の注水管路が洗浄され、消毒される。また、各インスツルメント及びその分岐給水管路の洗浄の間、制御手段１６は流量計１２の検出流量を監視し、薬液ポンプ１５を作動させ、予め設定された高濃度モードに基づき、薬液混合希釈手段１１における薬液混合希釈水が当該高濃度モードに対応する薬液濃度を維持するよう薬液を薬液混合希釈手段１１に供給する。コップ給水栓９からマイクロモータハンドピース５に至る一連の洗浄が洗浄工程Ｓ２とされる。この一連の洗浄順序は設計給水量が多いもの順とされる。そして、各インスツルメント３〜８は、通常の診療時の各可変絞り弁３２ｂ〜３５ｂ、３６ａ，３７ａが術者によって適宜調整がなされているから、実際の給水量は設計値とは一致しておらず、従って、流量計１２による検出流量に基づき薬液供給量を制御することにより、いずれの場合も略等しい薬液濃度で洗浄がなされることになる。
【００３７】
マイクロモータハンドピース５関連の管路洗浄が終了すると、薬液ポンプ１５がオフとされ、同時にコップ給水栓９の給水電磁弁３８ａがオンとされる。給水元３０からは引続き主給水管路３１を経て診療用水としての水道水が薬液混合希釈手段１１に供給される。薬液混合希釈手段１１では、薬液ポンプ１５がオフとされていることにより薬液の供給が停止されているから、生成される薬液混合希釈水の薬液濃度が経時的に低下し、やがて原水の状態（薬液濃度がゼロの状態）となって、分岐給水路３８を経てコップ給水栓９よりベースン２ｂに排出される。この間に、分岐給水路３８からコップ給水栓９までの給水管路が、低薬液濃度乃至は薬液濃度がゼロの水によってすすぎ洗浄がなされ、すすぎ洗浄工程Ｓ３が開始される。このように、コップ給水栓９関連の給水管路からすすぎ洗浄を開始するようにしたのは、コップ給水栓９の給水量が多いので、薬液混合希釈手段１１内の薬液濃度を早く低下させることができるからである。
【００３８】
所定時間コップ給水栓９関連の給水管路のすすぎ洗浄を行った後、給水電磁弁３８ａがオフとされ、同時にスリーウェイシリンジ７の前記制御元弁（不図示）がオンとされ、スリーウェイシリンジ７関連の給水管路のすすぎ洗浄がなされる。以後、前記と同様の順序で、スリーウェイシリンジ８、エアタービンハンドピース３、エアタービンハンドピース４、超音波スケーラ６及びマイクロモータハンドピース５の各関連給水管路のすすぎ洗浄が、各所定時間毎に順次なされる。マイクロモータハンドピース５関連のすすぎ洗浄が終了すると、管路洗浄スイッチ１８が自動的にオフとされ、同時に給水元電磁弁３１ｂもオフとされる。前記高濃度薬液の作成工程Ｓ１から、管路洗浄工程Ｓ２及びすすぎ洗浄工程Ｓ３への一連の工程は、管路洗浄スイッチ１８のオン操作により、予め定められたシーケンスに従ってなされる。
【００３９】
前記管路洗浄スイッチ１８は、単なる管路洗浄のオン・オフの切り換えだけでなく、通常の診療時の薬液低濃度モードから、洗浄時の薬液高濃度モードに切り換えるものとしても良い。この場合、管路洗浄スイッチ１８を薬液高濃度モードに切り換えると、前記高濃度薬液の作成工程Ｓ１から、管路洗浄工程Ｓ２及びすすぎ洗浄工程Ｓ３への一連の工程が、薬液高濃度モードに基づき予め定められたシーケンスに従ってなされる。そして、管路洗浄スイッチ１８を薬液低濃度モードに戻すと、薬液ポンプ１５が再び動作状態とされる。各インスツルメント３〜８及びコップ給水栓９の使用に伴う流量計１２による診療用水の検出流量に応じて、薬液ポンプ１５から薬液が薬液混合希釈手段１１に供給される。薬液混合希釈手段１１により生成される薬液混合希釈水の薬液濃度は、薬液低濃度モードに基づき予め定められており、前記制御手段１６は、診療用水の検出流量に応じ、薬液混合希釈水をこの所定の薬液濃度に維持するよう、薬液ポンプ１５をして薬液混合希釈手段１１への薬液の供給量を制御する。このように、薬液混合希釈手段１１により生成された低濃度の薬液混合希釈水は、診療用水として通常の診療に供せられる。
【００４０】
図８及び図９は、本発明に係る管路洗浄装置の他の実施形態を示す。この実施形態は、前記給水量検出手段を、前記実施形態の流量計１２に代え、各インスツルメント３〜８及びコップ給水栓９毎に設けられる可変絞り弁３２ｂ〜３５ｂ、３６ａ，３７ａ，３８ｂとした点で特徴付けられる。即ち、図８に示すように、主給水管路３１における薬液混合希釈手段１１の下流側の流量計をなしとし、コップ給水栓９用の分岐給水路３８における電磁弁３８ａの下流側に、新たに可変絞り弁３８ｂを設けている。図９ではこれら可変絞り弁３２ｂ〜３５ｂ、３６ａ，３７ａ，３８ｂをまとめて流量調整手段２４として示している。このような可変絞り弁３２ｂ〜３５ｂ、３６ａ，３７ａ，３８ｂは、通常の診療時には、不図示のトレーテーブルに設置された操作パネル（ディスプレイに表示されるタッチパネルも含む）やその他の操作手段（例えば、フートスイッチ等）によって、術者が個々に開度調整するものである。
【００４１】
而して、本実施形態では、前記制御手段１６が、各可変絞り弁毎の開度と流量との対応テーブル（不図示）を備え、管路洗浄の際には、このテーブルを参照し、各可変絞り弁毎に通常の診療時に設定された開度に対応する流量に基づき、前記薬液供給手段１３から薬液混合希釈手段１１への薬液量の供給制御がなされる。そして、図３に示すタイムチャートに基づき、各インスツルメント３〜８及びコップ給水栓９とこれらに関連する給水管路の洗浄及びすすぎ洗浄（工程Ｓ１〜Ｓ３）がなされる。実際の管路洗浄の際には、これら可変絞り弁を全て全開として洗浄を実施しても良く、これによって、洗浄時間の短縮が図られる。
図８及び図９におけるその他の構成は、図１及び図２と同様であるから、共通部分に同一の符号を付し、ここではその説明を割愛する。
【００４２】
次に図１０〜図１３を参照してスピットン部分の他の実施形態について説明する。図１０（ａ）（ｂ）（ｃ）において、スピットン２の胴部２ａに形成された空洞部２ｄには、支持板１０ｇに支持された洗浄水受タンク１０が傾動自在に収納されている。洗浄水受タンク１０の前面壁部を兼ねる支持板１０ｇは、空洞部２ｄの開口下辺部に枢軸１０ｇａを介し回動可能に取付けられ、この支持板１０ｇの背面に洗浄水受タンク１０が一体的に固設されている。また、支持板１０ｇの前面には取手１０ｇｂが設けられている。図１０（ｂ）の収納状態では、この支持板１０ｇが胴部２ａの外壁の一部をなすことを示している。この収納状態から、取手１０ｇｂを引っ張り支持板１０ｇを枢軸１０ｇａを支点として傾動させると、図１０（ａ）及び（ｃ）に示すように天板部１０ｂが診療台側に露出する。従って、天板部１０ｂに形成された複数の保持孔１０ｃ…に、各種インスツルメント３〜８の先側を差込保持させれば、上記と同様にインスツルメント及び関連管路の洗浄作業を実施することができる。タンク本体１０ａ内に溜まった洗浄排液は、該タンク本体１０ａに接続されたフレキシブルチューブからなる配水管１０ｅ及び排水管路６１を経て装置外（前記排水先６０・・図１参照）に排出される。
【００４３】
図１１及び図１２（ａ）（ｂ）において、スピットン２の胴部２ａに形成された空洞部２ｄには、洗浄水受タンク１０がベースン２ｂの支柱を兼ねた排水管路２ｆの廻りに水平旋回可能（図１１の矢印参照）に設置されている。洗浄水受タンク１０が図１２（ｂ）のように収納位置にあるときは、該洗浄水受タンク１０の外壁が胴部２ａの外壁の一部をなす。図１２（ａ）のように、洗浄水受タンク１０を排水管路２ｆの廻りに水平旋回させると、天板部１０ｂが診療台１側に露出し、該天板部１０ｂに形成された保持孔１０ｃに各種インスツルメント３〜８の先側を差込保持させることができる。従って、この状態で上記と同様に管路の洗浄作業を実施することができる。スピットン２の排水管路２ｆで洗浄水受タンク１０内を貫通する部分には枝管２ｈが設けられている。この枝管２ｈは、タンク本体１０ａ内に臨み、タンク本体１０ａ内の排液は該枝管２ｈから排水管路２ｆに排出される。該枝管２ｈには逆止弁２ｉが取付けられ、ベースン２ｂからの排液がタンク本体１０ａに流入することを防止している。
尚、この枝管２ｈ及び逆止弁２ｉによらず、上記と同様のフレキシブルチューブをタンク本体１０ａに接続して、タンク本体１０ａの排液の排出をおこなうようになすことも可能であることは言うまでもない。
【００４４】
図１３において、洗浄水受タンク１０には、インスツルメント３〜８を区別的に差込装着し得る保持孔１０ｃａ〜１０ｃｆと、バキュームシリンジ及びサライバエジェクタ（不図示）を夫々差込装着し得る保持孔１０ｃｇ、１０ｃｈとが形成されている。ここに、保持孔１０ｃａ、１０ｃｂは夫々エアタービンハドピース３，４用、保持孔１０ｃはマイクロモータハンドピース５用、保持孔１０ｃｄは超音波スケーラ６用、保持孔１０ｃｅ，１０ｃｆはそれぞれスリーウェイシリンジ７，８用とされ、各インスツルメント３〜８の形状特性に応じて各保持孔１０ｃａ〜１０ｃｆに連なるガイド凹部の形状が設定されており、これにより各インスツルメントの保持安定性が図られている。また、各保持孔１０ｃａ〜１０ｃｈの近傍には、図示のように、対応するインスツルメントを指し示す略称が刻印等により付されている。
【００４５】
図１３に示す洗浄水受タンク１０は、スピットン２における胴部２ａの空洞部２ｄ内に設置されており、診療台１（図６参照）に仰臥する患者の頭部側の胴部２ａの側壁部には開口部２ｊが形成されている。この開口部２ｊには開閉自在な開閉扉２ｅが取付けられており、該開閉扉２ｅを開けると、前記各保持孔１０ｃａ〜１０ｃｈが露見されるよう構成されている。洗浄水受タンク１０とスピットン２の胴部２ａ内における排水系との関係は、前記と同様に構成され、従って、各保持孔１０ｃａ〜１０ｃｆにインスツルメント３〜８を差込装着させることによって、前記と同様に給水管路洗浄を実施することができる。また、保持孔１０ｃｇ、１０ｃｈに不図示のバキュームシリンジ及びサライバエジェクタを夫々差込装着することによって、洗浄水受タンク１０内に溜った管路洗浄水を吸引させ、バキュームシリンジ及びサライバエジェクタとこれらに関連するバキューム管路を洗浄することができる。
【００４６】
尚、前記実施形態では、歯科用診療装置に本発明に係る給水管路洗浄装置を適用した例について述べたが、耳鼻科用或いは産婦人科用等の診療装置にも適用することができる。また、図４では薬液ボトル及びその保持部を概念的に示したが、実際の設計上はこれと異なる構造になることは言うまでもない。そして、薬液ボトルの着脱機構も図例のものに限定されるものではない。更に、インスツルメントとして、エアタービンハンドピース、マイクロモータハンドピース、超音波スケーラ及びスリーウェイシリンジを例示したが、これらに限定されず、或いはこれらの一部であっても良い。スケーラとしては、超音波式スケーラ以外のスケーラであっても良い。また、本装置で使用する薬液としては、過酸化水素水や次亜塩素酸ナトリウムだけでなく、これらと同等の殺菌消毒効果のある薬液であれば、同様に使用することができる。
【図面の簡単な説明】
【００４７】
【図１】本発明の給水管路洗浄装置の一実施形態を示す配管系統図である。
【図２】同給水管路洗浄装置の制御ブロック図である。
【図３】同給水管路洗浄装置による洗浄工程のタイムチャート図である。
【図４】（ａ）（ｂ）は同給水管路洗浄装置に用いられる薬液供給手段の一実施形態を示す概念図であり（ａ）は薬液ボトルの装着前の状態を、（ｂ）は装着した状態を夫々示す。
【図５】（ａ）（ｂ）は同薬液供給手段に用いられる薬液ポンプの一実施形態の断面図であり、（ａ）（ｂ）はその動作状態を示す。
【図６】同給水管路洗浄装置を用いた歯科用診療装置の斜視図である。
【図７】（ａ）は同歯科用診療装置におけるスピットン部分の別角度から見た斜視図であり、（ｂ）は同スピットン部分の断面図である。
【図８】他の実施形態の給水管路洗浄装置の配管系統図である。
【図９】同給水管路洗浄装置の制御ブロック図である。
【図１０】（ａ）（ｂ）（ｃ）はスピットン部分の他の実施形態を示し（ａ）は斜視図、（ｂ）（ｃ）はその使用状態の部分破断側面図を示す。
【図１１】他の実施形態のスピットン部分を備えた歯科用診療装置の斜視図である。
【図１２】（ａ）（ｂ）は同歯科用診療装置におけるスピットン部分の平面図及び縦断面図である。
【図１３】更に他の実施形態のスピットン部分の斜視図である。
【符号の説明】
【００４８】
１              歯科用診療台
２              スピットン
３〜８          歯科用インスツルメント（診療器具）
９              コップ給水栓（コップ給水部、診療器具）
１０            洗浄水受タンク
１１            薬液混合希釈手段
１２            流量計（給水量検出手段）
１３            薬液供給手段
１４            薬液ボトル
１５            薬液ポンプ
１６            制御手段
１８            管路洗浄スイッチ
２１            薬液量検出手段
２２            保持部
２３            薬液配管
３１            主給水管路（給水管路）
３２〜３８      分岐給水管路（給水管路）
３２ｂ〜３５ｂ  可変絞り弁（給水量検出手段）
３６ａ，３７ａ  可変絞り弁（給水量検出手段）
３８ａ          可変絞り弁（給水量検出手段）
６１            排水管路
Ａ              歯科用診療装置
【図１】
2010104655.tif 000003
【図２】
2010104655.tif 000004
【図３】
2010104655.tif 000005
【図４】
2010104655.tif 000006
【図５】
2010104655.tif 000007
【図６】
2010104655.tif 000008
【図７】
2010104655.tif 000009
【図８】
2010104655.tif 000010
【図９】
2010104655.tif 000011
【図１０】
2010104655.tif 000012
【図１１】
2010104655.tif 000013
【図１２】
2010104655.tif 000014
【図１３】
2010104655.tif 000015